(57)【要約】【課題】  切欠空間部に給紙コロが片持ち支持される省スペース給紙ユニットにおいても確実にジャムや紙詰まりが防止され、安定した搬送性能を維持できる給紙ユニットを提供すること。【解決手段】  前記フィードコロ及びピックアップコロを支持するフィード軸及びピックアップ軸の少なくとも一方の軸端には一体的構造の搬送ガイド部材が形成され、該搬送ガイド部材は他の１個所に固定され回動不能に配置されると共に、給紙方向に沿って配置され前記切欠空間部に露出する前記ハウジング端面に用紙が当接しないようガイドするガイド部を備えたことを特徴とする給紙装置の搬送ガイド部材【選択図】        図１
2006327727.tif 000002
【特許請求の範囲】
【請求項１】
所定のタイミングで回転駆動されるフィードコロと、該フィードコロに同期して回転すると共に所定のタイミングで用紙と接離する方向に揺動するピックアップアームに取り付けられ前記用紙を前記フィードコロ側に送り込むピックアップコロと、前記フィードコロに圧接し前記ピックアップコロ側から送り込まれる複数枚の用紙を所定のトルクで分離するセパレートコロと、
前記各コロの少なくともピックアップコロ及びフィードコロを回転軸又は揺動ブラケットを介して片持ち支持すると共に軸線方向に沿って引き出し可能な切欠空間部を形成すると共に前記フィードコロの外周と間隙を隔てた位置に縁端を形成し前記縁端側の下面に前記用紙の上面を案内する上側平坦面を形成するハウジングと、
前記フィードコロの下方及び前記ハウジングの縁端側の平坦面と相対向する位置に前記用紙の下面を案内する下側平坦面を形成するセパレートガイド板とを備え、前記ピックアップコロ側の給紙トレイ又は用紙送り込みテーブル側から給紙された用紙を一枚ずつ分離して装置内に供給する給紙装置に取り付けられる搬送ガイド部材であって、
前記フィードコロを支持するフィード軸及び前記フィード軸端と異なる少なくとも１個所に取り付けられピックアップアームに対して回動不能に配置されると共に、給紙方向に沿って配置され前記切欠空間部に露出する前記ハウジングの縁端への用紙の当接を防止するガイド部を備えたことを特徴とする給紙装置の搬送ガイド部材。
【請求項２】
前記搬送ガイド部材は、前記ピックアップアームに配置されピックアップコロとフィードコロを連動させるアイドラギヤの回転軸に沿って延びる突出部を備え、該突出部の先端が前記アイドラギヤの回転軸先端に固定されることを特徴とする請求項１の搬送ガイド部材。
【請求項３】
前記突起部の下部にはトレイの抜き差し方向移動に際して用紙を案内する案内部を設けたことを特徴とする請求項２の給紙装置の搬送ガイド部材。
【請求項４】
前記搬送ガイド部材は、フィード軸を覆いフィード軸に係止されるフィード軸係止部を備え、このフィード軸係止部からピックアップ軸方向に延設されピックアップ軸の先端に係止され、ピックアップローラの抜け止めをなすピックアップローラ抜け止め部を形成したことを特徴とする請求項１ないし３のいずれかの給紙装置の搬送ガイド部材。
【請求項５】
前記ガイド部はフィードコロ軸上に止め輪で軸方向の位置が固定され、前記搬送ガイド部材は前記フィードコロの一端部から止め輪の設置個所までの範囲を外れた位置に形成されることを特徴とする請求項１ないし４のいずれかに記載の給紙装置の搬送ガイド部材。
【請求項６】
前記ガイド部は、フィード軸への取付位置から外側に向け延設されたことを特徴とする請求項５の搬送ガイド部材。
【請求項７】
前記搬送ガイド部材はフィードコロ端部より止め輪高さまでの範囲の任意の位置から前記ガイド部頂点までをつなぐ傾斜面を備え、該傾斜面に沿ってガイド面を拡大形成したことを特徴とする請求項１ないし６のいずれかの給紙装置の搬送ガイド部材。
【請求項８】
前記ピックアップコロは前記フィードコロを中心に回動可能なピックアップアームに支持され、前記搬送ガイド部材は前記ピックアップコロの軸以外に該ピックアップアームの一部に接触していることを特徴とする請求項１ないし７のいずれかに記載の給紙装置の搬送ガイド部材。
【請求項９】
請求項１ないし８のいずれかの搬送ガイド部材を備えたことを特徴とする給紙装置。
【請求項１０】
請求項９の給紙装置を備えたことを特徴とする画像形成装置。
【発明の詳細な説明】
【技術分野】
【０００１】
本発明は、給紙装置の用紙案内部材、給紙装置及び画像形成装置に係り、特に、画像形成装置の給紙装置において、メンテナンスの作業性を低下させることなくカールしたり湾曲したりした用紙に安定して印刷を行うことができるものに関する。
【背景技術】
【０００２】
従来画像形成装置であるプリンタとしての給紙トレイ内の用紙を１枚ずつ給紙するための給紙装置が配置され、給紙トレイから用紙を取り出し印刷するものがある。また、このようなプリンタでは給紙トレイを紙面手前に引き出す所謂フロントローディング方式が採用されるものがある。また、このようなプリンタには、レーザ光で印刷すべき画像を出力する露光部、露光部からの光で露光される感光ドラムを備え、現像器にトナー像を形成する画像形成部、感光ドラムに形成されたトナー像を用紙に転写する転写部、用紙に形成されたトナー像を用紙に定着する定着部を備えている。
【０００３】
図７はこのような従来の給紙装置２００の断面図、図８は図７に示した給紙装置２００の平面図である。このような給紙装置２００は、ピックアップコロ２０１、フィードコロ２０２及びセパレートコロ２０３を備えている。これらのコロ２０１，２０２，２０３によって給紙トレイ内に配置された用紙１は一枚ずつ分離され、搬送ローラ２１１，２１２で搬送され、感光ドラム側に送られる。
【０００４】
なお、以下の説明では給紙トレイに配置された給紙装置２００について説明するが、図示しない手差し給紙ユニットについても同様の給紙ユニットを使用する。
【０００５】
このような給紙装置２００において、ピックアップコロ２０１，フィードコロ２０２及びセパレートコロ２０３はハウジング２２０に着脱可能に片持ち支持されており、ハウジング２２０に形成された切欠空間部２２３内に収納される構造となっている。給紙トレイ側に最も近い位置に配置されるピックアップコロ２０１は、ピックアップアーム２０４に立設されたピックアップ軸２０５に回動可能に装着され、止め輪２０６によりスラスト止めされて片持ち支持される。また、フィードコロ２０２は、ピックアップコロ２０１から繰り出された用紙を装置本体内に搬送するものであり、図示していない駆動用モータで回転駆動されるフィード軸２０７の先端側に止め輪２０８によりスラスト止めされて片持ち支持される。なお、ピックアップアーム２０４はソレノイド（図示していない）により所定の動作タイミングで揺動し、給紙トレイに積載された用紙１にピックアップコロ２０１を接離させ、用紙１を送り出す機能を有する。
【０００６】
本例では、フィードコロ２０２に設けられたフィードギヤ２３１とピックアップコロ２０１に設けられたピックアップギヤ２３２とはアイドラギヤ２３３を介して連動される。これにより、フィードコロ２０２とピックアップコロ２０１とは同期して駆動されることとなる。
【０００７】
セパレートコロ２０３は同じくハウジング２２０側にトルクリミッタ２０９を介して片持ち支持され、止め輪によりスラスト止めされる。このセパレートコロ２０３はフィードコロ２０２に圧接しフィードコロ２０２により送り出された複数枚の用紙をトルクリミッタ２０９からの所定のトルクにより分離し一枚ずつ搬送する。
【０００８】
フィードコロ２０２，ピックアップコロ２０１及びセパレートコロ２０３等は前記したようにハウジング２２０に片持ち支持されているため、メンテナンス作業のときこれらを取り外す場合にはそれらの支持軸の軸線方向に沿って引き出すようにする。このため、ハウジング２２０にはこれ等のコロが引き出し可能な空間として上述した切欠空間部２２３形成している。
【０００９】
この切欠空間部２２１はフィードコロ２０２の奥側にわたって形成されているためハウジング２２０のうちフィードコロ２０２の外周と近接する縁端２２７とフィードコロ２０２の外周との間には間隙２２６が形成されることとなる。
【００１０】
このような状態で、給紙トレイに積載された用紙１がピックアップコロ２０１により搬出され、これと同期して回転するフィードコロ２０２によりプリンタ本体内に送られ、フィードコロ２０２に圧接するセパレートコロ２０３により分離されてさらに送られる。また、用紙１はハウジング２２０の下面２２３やフィードコロ２０２等の下面に配置されるセパレートガイド板２２４の平坦面２２５に案内されてプリンタ装置本体内に送られる。
【００１１】
このような給紙装置２００において、用紙１が上向きにカールしていたり、用紙先端に波打ちがあったりする場合にはフィードコロ２０２とセパレートコロ２０３の圧接による用紙１の挟持や前記平坦面２２３，２２５によるガイドだけではカール部や波打ちが矯正されない。即ち、前記切欠空間部２２１においては、両コロ２０１，２０３の圧接及び両平坦面２２３，２２５のガイドが行われないため、用紙先端がハウジング２２０の縁端２２１に引っ掛かりジャムが発生する不具合が発生することがある。
【００１２】
給紙装置２００のレイアウトに余裕があれば、この縁端２２１に用紙１を案内するガイド部を設ければこの問題は解決できが、省スペース化が要求される近年の画像形成装置では、機械幅を押さえるため給紙部直後から縦搬送経路までの距離が短く制限され、搬送経路が急激に立ち上がるようにしなければならない。このため、メンテナンス作業のための切欠空間部２２３を設けたハウジング２２０にさらに用紙ガイドのための切り欠きを加えるとハウジング２２０の強度が保てず、ハウジングの変形による給紙圧の低下や振動による不快音の増大など、安定した搬送ができなくなる。
【００１３】
このようなカール部や波打ちを有する用紙を供給するため以下の用紙供給装置が提案されている。特許文献１には、ピックアップコロとフィードコロの支持軸には樹脂性の搬送ガイド部材が着脱可能に装着され、この搬送ガイド部材は装置本体側のハウジングの縁端とフィードコロの外周との間の間隙を狭める位置まで伸延して配置され下面に縁端の平坦面と同一レベルの平坦面を形成し、また、ピックアップコロの外周を覆うカバー部を形成し、カール部を有する用紙が差し込まれても間隙内に用紙が巻き込まれてジャム等の発生が防止されるものが記載されている。
【００１４】
特許文献２には、用紙を分離給送するために、所定のタイミングで回転駆動されるフィードコロ、これに同期して回転するピックアップコロ、フィードコロに対し逆回転するリバースコロを備え、フィードコロの下流側の搬送ガイド板で用紙を搬送ガイドする給紙装置であり、フィードコロの回転軸先端にその一部が搬送ガイド板に向けて延びるガイド部材を備え、搬送ガイド板の隙間からの用紙の巻き込みを防ぐものが記載されている。
【００１５】
特許文献３には、フィードコロと、ピックアップアームに支持されて用紙に接離するように昇降するピックアップコロと、これらを上方から覆う筺体とを備えた給紙装置において、ピックアップアームに、上記フィードコロ及びピックアップコロの側部を下方から覆うカバーを設け、上記ピックアップコロが上昇して用紙か
ら離反したとき、上記カバーが上昇して筺体とカバーとでほぼ閉ざされた空間を形成し、ペーパエンドフィラー等の内部のものを保護するものが記載されている。
【００１６】
特許文献４には、用紙トレイに積載された用紙束のうちの最上の用紙から順次送り出す給紙装置において、最上の用紙に当接して送り出し方向に送り出すピックアップローラと、フィードローラとセパーレーションローラからなる給紙分離部と、用紙トレイの用紙送り出し方向先端に位置する用紙トレイ先端フェンス上端部に設けられた傾斜部と、傾斜部の上方に位置して該傾斜部との間で上記用紙を押える押えフィラーと、給紙分離部にて重送された用紙を分離するときに上
記ピックアップローラと共に上記押えフィラーを上記用紙の送り出し路から退避させる退避手段とを有するものが記載されている。
【００１７】
【特許文献１】特開平１０−１０９７７３号公報
【特許文献２】特開平１０−４５２７４号公報
【特許文献３】特開平１０−５３３４８号公報
【特許文献４】特開平７−３１５６０８号公報
【発明の開示】
【発明が解決しようとする課題】
【００１８】
このため、従来の給紙装置２００においては、用紙のガイドを安定して行うため、前記縁端２２１に所定形状のマイラ薄板２４０を貼るようにしている。しかし、ジャム処理操作やフィードコロの交換作業でマイラ薄板２４０を曲げてしまい、それがまたジャムの原因になったり、マイラ薄板２４０の貼り付け代が少ない場合には、マイラ薄板２４０が剥がれて下流の作像部に入り込み画像形成装置に障害を与えたりするなど、安定した性能維持が難しかった。
【００１９】
そこで本発明は、切欠空間部に給紙コロが片持ち支持される省スペース給紙ユニットにおいても確実にジャムや紙詰まりが防止され、安定した搬送性能を維持できる給紙装置を提供することを目的とする。
【課題を解決するための手段】
【００２０】
請求項１の発明は、所定のタイミングで回転駆動されるフィードコロと、該フィードコロに同期して回転すると共に所定のタイミングで用紙と接離する方向に揺動するピックアップアームに取り付けられ前記用紙を前記フィードコロ側に送り込むピックアップコロと、前記フィードコロに圧接し前記ピックアップコロ側から送り込まれる複数枚の用紙を所定のトルクで分離するセパレートコロと、前記各コロの少なくともピックアップコロ及びフィードコロを回転軸又は揺動ブラケットを介して片持ち支持すると共に軸線方向に沿って引き出し可能な切欠空間部を形成すると共に前記フィードコロの外周と間隙を隔てた位置に縁端を形成し前記縁端側の下面に前記用紙の上面を案内する上側平坦面を形成するハウジングと、前記フィードコロの下方及び前記ハウジングの縁端側の平坦面と相対向する位置に前記用紙の下面を案内する下側平坦面を形成するセパレートガイド板とを備え、前記ピックアップコロ側の給紙トレイ又は用紙送り込みテーブル側から給紙された用紙を一枚ずつ分離して装置内に供給する給紙装置に取り付けられる搬送ガイド部材であって、前記フィードコロを支持するフィード軸及び前記フィード軸端と異なる少なくとも１個所に取り付けられピックアップアームに対して回動不能に配置されると共に、給紙方向に沿って配置され前記切欠空間部に露出する前記ハウジングの縁端への用紙の当接を防止するガイド部を備えたことを特徴とする搬送ガイド部材である。
【００２１】
請求項２の発明は、請求項１の給紙装置の搬送ガイド部材において、前記搬送ガイド部材は、前記ピックアップアームに配置されピックアップコロとフィードコロを連動させるアイドラギヤの回転軸に沿って延びる突出部を備え、該突出部の先端が前記アイドラギヤの回転軸先端に固定されることを特徴とする。
【００２２】
請求項３の発明は、請求項２の給紙装置の搬送ガイド部材において、前記突起部の下部にはトレイの抜き差し方向移動に際して用紙を案内する案内部を設けたことを特徴とする。
【００２３】
請求項４の発明は、請求項１ないし３のいずれかの給紙装置の搬送ガイド部材において、前記搬送ガイド部材は、フィード軸を覆いフィード軸に係止されるフィード軸係止部を備え、このフィード軸係止部からピックアップ軸方向に延設されピックアップ軸の先端に係止され、ピックアップローラの抜け止めをなすピックアップローラ抜け止め部を形成したことを特徴とする。
【００２４】
請求項５の発明は、請求項１ないし４のいずれかの給紙装置の搬送ガイド部材において、前記搬送ガイド部材はフィードコロ軸上に止め輪で軸方向の位置が固定され、前記ガイド部はフィードコロの一端部より止め輪の設置個所までの範囲を外れた位置に形成されることを特徴とする。
【００２５】
請求項６の発明は、請求項５の給紙装置の搬送ガイド部材において、前記ガイド部は、フィード軸への取付位置から外側に向け延設されたことを特徴とする。
【００２６】
請求項７の発明は、請求項１ないし６のいずれかの給紙装置の搬送ガイド部材において、前記搬送ガイド部材はフィードコロ端部より止め輪高さまでの範囲の任意の位置から前記ガイド部頂点までをつなぐ傾斜面を備え、該傾斜面に沿ってガイド面を拡大形成したことを特徴とする。
【００２７】
請求項８の発明は、請求項１ないし７のいずれかに記載の給紙装置の搬送ガイド部材において、前記ピックアップコロは前記フィードコロを中心に回動可能なピックアップアームに支持され、前記搬送ガイド部材は前記ピックアップコロの軸以外に該ピックアップアームの一部に接触していることを特徴とする。
【００２８】
請求項９の発明は、請求項１ないし８のいずれかの搬送ガイド部材を備えたことを特徴とする給紙装置である。
【００２９】
請求項１０の発明は、請求項９の給紙装置を備えたことを特徴とする画像形成装置である。
【発明の効果】
【００３０】
本発明に係る給紙装置の搬送ガイド部材、給紙装置及び画像形成装置によれば、切欠空間部に給紙コロが片持ち支持される省スペース給紙ユニットにおいても確実にジャムや紙詰まりが防止され、安定した搬送性能を維持できる。
【発明を実施するための最良の形態】
【００３１】
以下本発明を実施するための最良の形態を、図に示す実施例を参照して説明する。
【実施例】
【００３２】
以下本発明の実施例を図面に基づいて説明する。図１は実施例に係る画像形成装置を示す断面図、図２は実施例に係る給紙装置を示す断面図、図３は図２に示した給紙装置の平面図、図４は図２に示した給紙装置の用紙案内部材の斜視図、図５は図２に示した給紙装置の用紙案内部材の斜視図、図６は図２に示した給紙装置の画像形成装置における配置位置を示す平面図である。
【００３３】
本例に係るプリンタ１０は複数の給紙トレイ１１，１２内の用紙１を給紙するための２台の給紙装置１００ａ，１００ｂが配置される。また、上記給紙トレイ１１，１２は紙面手前に引き出される所謂フロントローディング方式となっている。また、プリンタ１０には、レーザ光Ｌで印刷すべき画像を出力する露光部１３、露光部１３からの光で露光される感光ドラム１４及びこの感光ドラム１４にトナー像を形成する現像器１５を備える画像形成部１６、現像器１５の感光ドラムに形成されたトナー像を用紙に転写する転写部１７、用紙に形成されたトナー像を用紙に定着する定着部１８を備えている。
【００３４】
本例では、給紙装置１００ａ，１００ｂは同一の構造を備えている。そして、給紙装置１００ａ，１００ｂは、従来例で示した給紙装置２００と同様に装置本体のハウジング１２０に形成された切欠空間部１２１を備え、この切欠空間部１２１内にピックアップコロ１０１，フィードコロ１０２及びセパレートコロ１０３が片持ち支持されて配置されている。
【００３５】
これらの給紙装置１００ａ，１００ｂの構成を図２ないし図５に基づいて説明する。以下給紙装置１００ａ，１００ｂを給紙装置１００として説明する、給紙トレイ１１，１２側に最も近い位置に配置されるピックアップコロ１０１は、ピックアップアーム１０４に立設されたピックアップ軸１０５に回動可能に装着され片持ち支持される。また、フィードコロ１０２は、図示していない駆動用モータで回転駆動されるフィード軸１０６の先端側に止めされて片持ち支持される。なお、ピックアップアーム１０４はソレノイド（図示していない）により所定の動作タイミングで揺動し、給紙トレイに積載された用紙１にピックアップコロ１０１を接離させ、用紙１を送り出す機能を有する。
【００３６】
本例では、フィードコロ１０２に設けられたフィードギヤ１１１とピックアップコロ１０１に設けられたピックアップギヤ１１３とはアイドラギヤ１１２を介して連動される。これにより、フィードコロ１０２とピックアップコロ１０１とは同期して駆動されることとなる。
【００３７】
セパレートコロ１０３は同じくハウジング１２０側に片持ち支持されている。このセパレートコロ１０３はフィードコロ１０２に圧接しフィードコロ１０２により送り出された複数枚の用紙を分離し一枚ずつ搬送する。
【００３８】
また、ハウジング１２０の下面の及びセパレートガイド板１２２には用紙１を案内する平坦面１２３，１２４が形成されている。
【００３９】
本例では、このように形成された給紙装置１００のピックアップ軸１０５、フィード軸１０６の端部に搬送ガイド部材１３０を取り付けるものとしている。
【００４０】
この搬送ガイド部材１３０はフィード軸１０６に取り付けられ止め輪１０７でスラスト方向に固定され、かつピックアップ軸１０５に嵌め込まれ回動しないようになっている。また、この搬送ガイド部材１３０は、図４及び図５に示すように立体構造をなしている。即ち搬送ガイド部材１３０は、フィード軸１０６とピックアップ軸１０５に取り付けられるガイド部材本体１３１と、ガイド部本体下部に設けられる下側面部１３２と、ガイド部材本体１３１から直角に屈曲するよう一体的に形成されるガイド部１３３と、ガイド部１３３と反対方向に突出形成される支持部１３４とを備える。なお、本例では、搬送ガイド部材１３０は摺動性のある合成樹脂材の１つであるポリアセタール樹脂材（ＰＯＭ）で一体成形して構成される。
【００４１】
ガイド部材本体１３１にはピックアップ軸１０５に挿着される孔１３５とフィード軸１０６が挿通される孔１３６が形成され、孔１３５及び孔１３６のまわりにはピックアップコロ１０１及びフィードコロ１０２側に向かって突起するスラスト受けボス部１３７及びスラスト受けボス部１３８が夫々形成されている。
【００４２】
一方、ガイド部材本体１３１のガイド部１３３は前記切欠空間部１２１に配置され、フィードコロ１０２一端部である端縁より止め輪１０７の設置個所までの範囲以外の縁端１４４を覆うガイド面部１５０を形成している。即ち本例では、止め輪１０７周辺に空間を形成し、止め輪１０７の脱着の作業性を良くし、また、フィードコロ等の交換性を向上することができる。
【００４３】
また、本例では、フィードコロ１０２の端部より止め輪１０７の高さまでの範囲の所定の位置から前記ガイド部１３２のガイド頂点１５２までを傾斜面１３９で連続して繋ぎ、該傾斜面１３９に沿ってガイド面１５０を拡大形成するようにしている。このとき、止め輪３７周辺は指が入る程度の空間を保つようにする必要がある。
【００４４】
ハウジング１２０とガイド部１３２の外面との間にはピックアップコロ１０１が揺動した際に両者が干渉しない適宜の空隙１５１が形成される。この空隙１５１は比較的小さく、カール紙が搬送されてもその空隙１５１に用紙が入り込まないように高低差ｄを設け、用紙１が縁端１４４に引っ掛からないようになっている。
【００４５】
また、ガイド部材本体１３１の支持部１３４はピックアップアーム１０４側へ延出形成され、先端にコの字形状リブ形状の軸係止部１５３が形成され、ピックアップアーム１０４上のアイドラギヤ１１２の軸１１４に係止できるようになっている。これらの構成により、ガイド部１３２の上下方向のふらつきを抑えるとともに、止め輪まわりのモーメントを押さえて、ピックアップコロ１０１のスラスト方向のガタつきを防止している。
【００４６】
また、ガイド部材本体１３１の下面には下方に膨出する凸状のガイド部１６０を設けている。このガイド部１６０は、給紙トレイ側に装着されていることに対処して、給紙トレイ１１，１２の装着移動方向（フィード軸スラスト方向）に積載されたカールした用紙が引っ掛からないよう案内する。即ち本実施例のガイド部１６０は給紙トレイに積載された用紙先端付近で、給紙トレイの装着方向に対向するアイドラギヤ１１２部下方で用紙を案内する。
【００４７】
次に、本例の給紙ユニットによる給紙動作を説明する。先端がカール等していない変形していない用紙１はピックアップコロ１０１、フィードコロ１０２、セパレートコロ１０３で取り出され平坦面１２３と、下側平坦面１２４を通過してピックアップ軸１０５間を通過する。
【００４８】
先端がカールした用紙１を搬送する場合には、用紙１は搬送ガイド部材１３０のガイド面１５０とセパレートガイド板１２２に案内されて進む。ハウジング１２０の縁端１４４と搬送ガイド部材１３０のガイド部１３２との間には前記のように微少の間隙５１しかなく、高低差ｄも形成されるため、用紙１はカールしていても引っ掛からずに縁端１４４を超えて装置本体内に案内される。
【００４９】
また、先端が波打ちした、用紙の紙搬送時にはコロ近傍はコロに狭持されて先端の波打ちがある程度矯正されるが、給紙コロから紙幅方向に離れるほどコロによる矯正が利かなくなるので、給紙コロに近い位置からガイド面１５０を形成できると搬送性は良好になる。
【００５０】
搬送ガイド部材１３０は支持部１３４によって精度良く位置決めされているため、ふらつくことはない。従って、間隙２２６や高低差ｄも一定に保たれて、ジャムや紙詰まりが生じない安定した搬送が可能となる。
【００５１】
一方、前記したように、搬送ガイド部材１３０の下面には給紙トレイ装着方向のガイド１２が設けられているため、用紙がフィード軸スラスト方向から挿入されても、カール紙が引っ掛からない構成となっている。
【００５２】
以上説明したように、本例によれば、前記フィードコロ及びピックアップコロを支持するフィード軸及びピックアップ軸の軸端に一体的構造の搬送ガイド部材を装着し、該搬送ガイド部材は、給紙方向に対向して前記切欠空間部に露出する前記ハウジング端面に用紙が当接しないようガイドするガイド部を設けることによって、
確実にジャムや紙詰まりが防止され、安定した搬送性能を維持できる。また、コロ交換作業時もマイラの貼付部がなく、該搬送ガイド部材を取り外して行うため、作業スペースも確保され、作業性が向上する。
【００５３】
また、搬送ガイド部材をフィードコロ軸上に止め輪で係止し、前記ガイド部はフィードコロ端部より止め輪高さまでの範囲以外で形成することによって、止め輪周辺に空間をもたせて止め輪脱着の作業性を良くし、給紙コロの交換性を向上することができる。これによりメンテナンス時に止め輪を機内に落下してしまう事故発生を低減でき、サービスメンテナンス時間延長による損失を低減できる。
【００５４】
また、前記搬送ガイド部材はフィードコロ端部より止め輪高さまでの範囲の任意の位置から前記ガイド部までを傾斜面で繋ぎ、該傾斜面に沿ってガイド面を拡大形成したことによって、止め輪脱着の作業性を低下させることなく、先端波打ち紙に対しても搬送性が向上する。
【００５５】
また、前記ピックアップコロは前記フィードコロを中心に回動可能なアームに支持され、前記搬送ガイド部材は前記ピックアップコロの軸以外に該アームの一部に接触させることによって、搬送ガイド部材の姿勢が安定し、ガイド部の位置精度が向上する。これによりピックアップコロのスラスト方向のがたつきも押さえることができるので、ピックアップコロ用の止め輪を省略でき、交換作業性の向上やコストダウンになるとともに、安定した給紙性能を維持できる。
【００５６】
また、搬送ガイド部材の下面に用紙装着方向のガイドを形成することによって、用紙挿入時のカール紙対応性を向上することができ、挿入時の用紙破損に気付かず給紙スタートしてジャムに至るというケースを未然に防止し、コールジャム低減に繋がる。
【図面の簡単な説明】
【００５７】
【図１】実施例に係る画像形成装置を示す断面図である。
【図２】実施例に係る給紙装置を示す断面図である。
【図３】図２に示した給紙装置の平面図である。
【図４】図２に示した給紙装置の用紙案内部材の斜視図である。
【図５】図２に示した給紙装置の用紙案内部材の斜視図である。
【図６】図２に示した給紙装置の画像形成装置における配置位置を示す平面図である。
【図７】従来の給紙装置の断面図である。
【図８】従来の給紙装置の平面図である。
【符号の説明】
【００５８】
１・・・用紙
１０・・・プリンタ
１１・・・給紙トレイ
１２・・・ガイド
１３・・・露光部
１４・・・感光ドラム
１５・・・現像器
１６・・・画像形成部
１７・・・転写部
１８・・・定着部
３７・・・止め輪
５１・・・間隙
１００・・・給紙装置
１００ａ，１００ｂ・・・給紙装置
１０１・・・ピックアップコロ
１０２・・・フィードコロ
１０３・・・セパレートコロ
１０４・・・ピックアップアーム
１０５・・・ピックアップ軸
１０６・・・フィード軸
１０７・・・止め輪
１１１・・・フィードギヤ
１１２・・・アイドラギヤ
１１３・・・ピックアップギヤ
１１４・・・軸
１２０・・・ハウジング
１２１・・・切欠空間部
１２２・・・セパレートガイド板
１２３，１２４・・・平坦面
１２４・・・下側平坦面
１３０・・・搬送ガイド部材
１３１・・・ガイド部材本体
１３２・・・下側面部
１３３・・・ガイド部
１３４・・・支持部
１３５・・・孔
１３６・・・孔
１３７・・・スラスト受けボス部
１３８・・・スラスト受けボス部
１３９・・・傾斜面
１４４・・・縁端
１５０・・・ガイド面部
１５１・・・空隙
１５２・・・ガイド頂点
１５３・・・軸係止部
１６０・・・ガイド部
２００・・・給紙装置
２０１・・・ピックアップコロ
２０２・・・フィードコロ
２０３・・・セパレートコロ
２０４・・・ピックアップアーム
２０５・・・ピックアップ軸
２０６・・・止め輪
２０７・・・フィード軸
２０８・・・止め輪
２０９・・・トルクリミッタ
２１１，２１２・・・搬送ローラ
２２０・・・ハウジング
２２１・・・切欠空間部
２２３，２２５・・・平坦面
２２３・・・下面
２２４・・・セパレートガイド板
２２５・・・平坦面
２２６・・・間隙
２２７・・・縁端
２３１・・・フィードギヤ
２３２・・・ピックアップギヤ
２３３・・・アイドラギヤ
２４０・・・マイラ薄板
【図１】
2006327727.tif 000003
【図２】
2006327727.tif 000004
【図３】
2006327727.tif 000005
【図４】
2006327727.tif 000006
【図５】
2006327727.tif 000007
【図６】
2006327727.tif 000008
【図７】
2006327727.tif 000009
【図８】
2006327727.tif 000010